(57)【要約】【課題】籐と同様の弾力性を有し、かつ丈夫な素材から成る軸柄を有する、木鉦叩打具であるバイの提供。【解決手段】法具の木鉦を叩打する木鉦叩打具であるバイ１１であって、木鉦を叩打する部位の頭部１２と、頭部１２に一端部１３ａを挿着した、合成樹脂から成る棒状の軸柄１３と、棒状の軸柄１３の他端部１３ｂが挿着された把持部１５と、を備えて成ることを特徴とする。【選択図】図１
0003173033.tif 000002
【実用新案登録請求の範囲】
【請求項１】
法具の木鉦を叩打する木鉦叩打具であって、
前記木鉦を叩打する部位の頭部と、
該頭部に一端部を挿着する、合成樹脂から成る棒状の軸柄と、
該棒状の軸柄の他端部が挿着された把持部と、
を備えて成る木鉦叩打具。
【請求項２】
前記合成樹脂は、ポリアセタール樹脂であることを特徴とする請求項１に記載の木鉦叩打具。
【請求項３】
前記把持部は、合成樹脂により前記軸柄と一体に成形されて成ることを特徴とする請求項１に記載の木鉦叩打具。
【請求項４】
前記軸柄は、前記頭部及び前記把持部とそれぞれ固定金具により固着されて成ることを特徴とする請求項１に記載の木鉦叩打具。
【請求項５】
前記把持部は、前記軸柄側に小径部が形成されて成ることを特徴とする請求項１に記載の木鉦叩打具。
【考案の詳細な説明】
【技術分野】
【０００１】
本考案は、お経・お題目を読踊するときに使用する、読経用のいわゆる打楽器である法具の木鉦を叩打する木鉦叩打具に関するものである。
【背景技術】
【０００２】
読経・唱題などの拍節を調えるために、棒状のばちにより木魚を叩打して拍子をとり法要が執り行われているが、主として日蓮宗及びその系列団体では、お経・お題目を読誦する時に、円形の中空体である木鉦（又は「木柾」と記す）を、バイと呼ばれる叩打具により叩打して拍子を取り、法要等が執り行われている（以下、適宜「叩打具」にかえて「バイ」と記載する）。
【０００３】
木鉦をバイにより叩打して生ずる拍子には、本拍子、中拍子、雨ダレ等のリズムの異なるものがあり、木鉦を担当する僧侶（お上人）が読経の種類に応じた各拍子により読誦の拍節を調えている。この木鉦をバイにより叩打して読経の拍節を調える所作は、「日蓮宗のお経は木鉦で読むもの」といわれるように、寺院での各種年間行事、檀家の法事、荒行堂等において重要かつ不可欠なものである。
【０００４】
木鉦の斜視図を図４に示す。木鉦６１は、図４に示すように円形の中空体である胴部６２と、胴部の上面に設けられる円形状の板材から成る頂部６３と、胴部６２の底面の周囲に設けられる３本の脚部６５（但し１本は胴部６２に隠れている）とで構成される。胴部６２の底面の中央には開口部（図示せず）が設けられ、胴部６２の内部が中空に形成されている。
【０００５】
胴部６２は、上段胴部６２ａと、上段胴部６２より径が少し大きい下段胴部６２とから成り、上段胴部６２ａと下段胴部６２ｂとで外側表面に段差を形成している。木鉦６１の上段胴部６２ａの上面に設けられた板材の頂部６３を、叩打具のバイにより叩打して、読誦の拍節を調える。
【０００６】
木鉦６１は、叩打されたときに高く響き亘る音が発生するように、最適の材料が選ばれ、例えば欅（けやき）、楓（かえで）、桜などの木を材料する場合が多く、時には花梨（かりん）、紫壇（したん）、黒壇（こくたん）を材料としている。
【０００７】
木鉦を叩打する叩打具であるバイの正面図を図３に示す。バイ５１は、図３に示すように、木鉦（図示せず）を叩打する部位である頭部（又は「タマ」）５２と、頭部５２に一端部を挿着する棒状の軸柄５３と、軸柄５３の他端部が挿着される把持部５５とから成る。
【０００８】
直接木鉦を叩打する頭部５２は、高く響き亘る音が生じるように、堅く丈夫な材料である樫（かし）を素材とし、把持部５５は楓を素材とする。軸柄５３は、曲がりにくく弾力性に富む、ヤシ科の植物である籐を素材とする棒状の軸部材であり、このような素材から成るバイ５１により木鉦を叩打すると、木魚をバチで叩打するときに較べて高く響き亘る音を発することができ、拍子の異なるリズムを自在にとることで、読誦を円滑に行うことができる。
【考案の概要】
【考案が解決しようとする課題】
【０００９】
上記のように、軸柄５３の素材である籐の弾力性を利用することにより、木鉦をテンポよく叩打することができるが、このような所定の弾力性を有し、かつ軸柄に使用可能な真っ直ぐな形状である籐の継続的な取得には困難な面があり、法要等に使用する叩打具バイ５１の提供に支障が生じるおそれがある。
【００１０】
また、バイ５１により木鉦を繰り返し叩打していると、軸柄５３の破損による頭部５２の欠落等により法要等の進行に支障を生じるおそれがあるが、このようなことは許されない事態である。また頭部５２の欠落には至らないものの、読誦の最中に籐の木粉が床に落ちるなどの不具合が生じることもある。
【００１１】
籐よりも丈夫な素材のものに換えることも可能であるが、籐と同様の弾力性を有するものでなければ、木鉦を叩打して各拍子を円滑にとることができず、法要等の行事に支障が生じる。
【００１２】
本考案の目的は、籐と同様の弾力性を有し、かつ耐久性に優れた丈夫な素材から成る軸柄を有する、木鉦叩打具であるバイを提供することにある。
【課題を解決するための手段】
【００１３】
上記課題を解決するために、本考案が提供するのは、法具の木鉦を叩打する木鉦叩打具であって、前記木鉦を叩打する部位の頭部と、該頭部に一端部を挿着する、合成樹脂から成る棒状の軸柄と、該棒状の軸柄の他端部が挿着された把持部と、を備えて成る木鉦叩打具である。
【００１４】
上記構成によれば、木鉦叩打具の軸柄を合成樹脂としたので、籐による軸柄に較べて耐久性に優れ、劣化による破損、粉粒物の落下を抑えることができる木鉦叩打具を提供することができる。
【００１５】
合成樹脂としては、塩化ビニール、ポリエチレン、ポリスチレン及びポリプロピレン等の汎用プラスチック、アクリル、ポリカーボネート、ポリアミド等を使用することができるが、耐摩耗性に優れ、強度及び弾力性に富む結晶度の高いポリアセタール樹脂が好ましい。なお、ポリアセタール樹脂として、ポリアセタールコポリマー又はポリアセタールホモポリマーの使用が考えられるが、特に化学的・成形的な安定性に優れるポリアセタールコポリマーの使用がより好ましい。
【００１６】
上記したポリアセタールコポリマー製の軸柄によれば、所定の長さと径に定めることで、籐と略同様のしなりを有する弾力性を得ることができ、かつ耐久性に優れた木鉦叩打具を提供することができる。
【００１７】
また、把持部は、楓を使用した木製であるが、ポリアセタールコポリマー等の合成樹脂により軸柄と一体に成形しても良い。
【００１８】
軸柄は、頭部及び把持部とそれぞれ固定金具により固着される。軸柄を頭部及び把持部に挿着するが、これらの脱落を防止するために、釘、鋲又はねじなどの固定金具を使用して固定する。
【００１９】
把持部は、軸柄側に小径部が形成されることでその表面に凹部が生じるので、滑りを抑え強固に把持することができ、手からの落下を防止することができる。
【考案の効果】
【００２０】
本考案によれば、軸柄を合成樹脂製としたので、籐のような弾力性を有し、かつ耐久性に優れた丈夫な素材から成る軸柄を有する、木鉦叩打具を提供することができる。
【図面の簡単な説明】
【００２１】
【図１】図１は、本考案に係る木鉦叩打具であるバイの一部省略の正面図である。
【図２】図２は、本考案に係る木鉦叩打具であるバイの分解斜視図である。
【図３】図３は、従来の木鉦叩打具であるバイの一部省略の正面図である。
【図４】図４は、読経用の法具である木鉦の斜視図である。
【考案を実施するための形態】
【００２２】
以下、添付図面を参照して本考案の好ましい実施形態を説明する。
【００２３】
本考案に係る木鉦叩打具であるバイが、図１及び図２に示すように、木鉦を直接叩打する部位である頭部１２と、一端部を頭部１２に挿着した棒状の軸柄１３と、軸柄１３の他端部が挿着された把持部１５とで構成される。
【００２４】
バイ１１の先端に位置する頭部１２は、略円錐台形状を有する、樫材から成る木製部材であり、小さい一方の底面１２ａには内部に向けて円柱状の孔部１２ｂが形成されており、この孔部１２ｂに軸柄１３の一端部が挿着される。頭部１２の大きい他方の底面１２ｃと側面１２ｄとは境界が曲面状に形成されている。
【００２５】
軸柄１３は、直径が約６ｍｍの円柱状の棒状部材であり、その材質は合成樹脂製であり、従来の材質である籐と同様の弾力性を有し、さらに籐よりも耐久性に優れた素材であるポリアセタール樹脂のポリアセタールコポリマーにより形成される。
【００２６】
塩化ビニール、ポリエチレン、ポリスチレン及びポリプロピレン等の汎用プラスチック、アクリル、ポリカーボネート、ポリアミド等の合成樹脂により軸柄１３を形成することもできるが、耐摩耗性に優れ、強度及び弾力性に富む結晶度の高いポリアセタール樹脂が好ましい。ポリアセタール樹脂は、他の合成樹脂に較べて耐疲労性及び剛性が高く、さらに自己潤滑性を有することから耐磨耗性に優れているからである。ポリアセタール樹脂としては、ポリアセタールコポリマー又はポリアセタールホモポリマーの使用が考えられるが、特に化学的・成形的な安定性に優れるポリアセタールコポリマーの使用がより好ましい。
【００２７】
ポリアセタールコポリマー製の軸柄１３は、籐の色に合わせた着色をする等、その表面を所定の色の塗料を塗布することにより着色することができるが、使用の形態により着色が剥げ落ちることもあるので、素材のポリアセタールコポリマーに着色料を含有させて軸柄１３を形成するか、或いは着色せずに素材そのものの色合いで形成することが好ましい。軸柄１３の素材であるポリアセタールコポリマーは、ポリプラスチック株式会社製造の商品名ジュラコン／ＤＵＲＡＣＯＮ（登録商標）として市販されている市販品を使用することができる。
【００２８】
把持部１５は、略円柱状を有する、楓材から成る木製部材から成り、一方の底面１５ａには内部に向けて円柱状の孔部１５が形成されており、この孔部１５ｂに軸柄１３の他端部が挿着される。さらに、把持部１５の軸柄１３側の一部は凹部となる小径部１５ｃが形成されており、親指と人差し指とがこの小径部１５ｃを握ることで叩打中におけるバイ１１の落下を防止することができる。
【００２９】
頭部１２の孔部１２ｂに挿着された軸柄１３の一端部１３ａは、鋲１７ａにより頭部１２に固着され、把持部１５の孔部１５ｂに挿着された軸柄１３の他端部１３ｂは、鋲１７ｂにより把持部１５に固着される。
【００３０】
なお、鋲１７ａ、１７ｂによる固着に加え、接着剤の使用により、軸柄１３と頭部１２及び把持部１５とをそれぞれ固着することができる。
【００３１】
頭部１２は直接木鉦を叩打する部分であり、木鉦との間で特有の高い音を発生する必要から堅くて丈夫な樫材の使用が一般的であるが、上記した把持部１５については楓材に替えて、把持部１５と軸柄１３とを合成樹脂のポリアセタールコポリマー等により一体に成形することもできる。
【００３２】
頭部１２の大きさ、軸柄１３及び把持部１５の長さ、及び径については、バイ１１を使用する各僧侶（お上人）の選択を可能とすべく、それぞれ異なる数種類のものを提供することができる。特に、軸柄１３については、法要等の異なる読経に合わせた弾力性のものを提供すべく、長さの異なる少なくとも３種類のものを提供することが好ましい。
【００３３】
また、手からバイが脱落するのを防止するために、把持部１５には小径部１５ｃを形成して成るが、中指、薬指及び小指で把持するための小径部をさらに追加形成することもできる。さらに、滑り止め用として表面に凹凸が形成された合成樹脂製の被覆部材により把持部１５を被覆しても良い。
【００３４】
このように、木鉦叩打具であるバイの軸柄をポリアセタールコポリマーから成る合成樹脂により形成したので、籐と同様の弾力性を有し、さらに籐よりも剛性、耐久性及び耐摩擦性に優れているので、軸柄の破損による頭部の落下等を抑えて長時間の読誦に使用することができる。なお、軸柄の長さ、径は、バイの使用者が把持部を手で握り木鉦を叩打するときに最適となる弾力性、及び強度等を得るように、適宜選択することができる。
【符号の説明】
【００３５】
１１    バイ（木鉦叩打具）
１２    頭部
１２ａ  底面
１２ｂ  孔部
１２ｃ  底面
１２ｄ  側面
１３    軸柄
１３ａ  一端部
１３ｂ  他端部
１５    把持部
１５ａ  底面
１５ｂ  孔部
１５ｃ  小径部
１７ａ、１７ｂ  鋲
６１    木鉦
６２    胴部
６３    頂部
６５    脚部
【図１】
0003173033.tif 000003
【図２】
0003173033.tif 000004
【図３】
0003173033.tif 000005
【図４】
0003173033.tif 000006